(57)【要約】      （修正有）【課題】散弾範囲を制限することによって、鉛弾の回収を容易にし、かつ射撃場の占有面積を縮小することの可能な射撃場の構造を提供する。【解決手段】射撃場における所定の広さの散弾エリア２を上から覆うように構築されたトラス状ドーム骨組構造体４のフレーム４１又はジョイントに、着弾の衝撃に耐え得る強度を有する防弾幕５を、フラッグ状、ハニカム状あるいは垂れ幕状に懸垂する。防弾幕５は、飛来した鉛弾Ｂが衝突することによって瞬時に波打つように撓んで、運動エネルギを吸収するため、この防弾幕５に当たった鉛弾Ｂは、運動エネルギを失って地表に落下する。【選択図】図３
2006317014.tif 000002
【特許請求の範囲】
【請求項１】
射撃場における所定の広さの散弾エリアを上から覆うように構築されたトラス状ドーム骨組構造体に、着弾の衝撃に耐え得る強度を有する防弾幕が、射撃方向に対して互いに重なるように前後複数段に懸垂されたことを特徴とする射撃場の構造。
【請求項２】
防弾幕が、トラス状ドーム骨組構造体における水平フレームに、フラッグ状に懸垂されたことを特徴とする請求項１に記載の射撃場の構造。
【請求項３】
防弾幕が、トラス状ドーム骨組構造体の各フレームに沿ってハニカム状に懸垂されたことを特徴とする請求項１に記載の射撃場の構造。
【請求項４】
防弾幕の各隅部が、トラス状ドーム骨組構造体の各グリッドのジョイント部に垂れ幕状に懸垂されたことを特徴とする請求項１に記載の射撃場の構造。
【発明の詳細な説明】
【技術分野】
【０００１】
本発明は、散弾銃やライフル等の銃器による実弾射撃の訓練あるいは競技を行う射撃場において、発射された鉛弾が射撃場外へ散乱しないようにして、場内に落下した鉛弾を全て回収可能とする構造に関するものである。
【背景技術】
【０００２】
図７及び図８は、射撃場における標的後方の構造を示す説明図である。図７に示されるように、一般に、射撃場においては、不図示の標的の後方に、鉛弾（鉛弾）ｄを受け止めるための着弾部として砂などを盛り立てたバンクａが構築される（例えば特許文献１参照）。このバンクａを含む射撃場内の地面ｂには、跳弾を防止するためのシート状ネットｃが敷設される場合もある。
【０００３】
また、バンクａの代わりに、図８に示されるように、自然の地山ｅを利用して着弾部とし、その斜面に、アジテータ車ｆ、コンクリート吹付け機ｇ、作業車ｈなどによってコンクリートｉを吹付けたものもある。
【０００４】
また、射撃場内で着弾し散乱した鉛弾ｄは、場内の表土と共にバキューム装置などで吸引回収し、篩機などによって分別している（例えば特許文献２参照）。
【特許文献１】特開２００３−２８７３９９号公報
【特許文献２】特開２００２−３７２４００号公報
【０００５】
しかしながら、図８のように、着弾予想範囲の地山ｅにコンクリートｉを吹付けた場合は、自然環境の保全を図れないといった問題がある。しかも、鉛弾ｄがコンクリートｉによる被覆領域から外れて、地山ｅの土壌に直接着弾した場合は、鉛弾ｄから溶出する鉛等の重金属によって、土壌が汚染される問題が指摘される。そして、このような土壌汚染を防止するには、着弾範囲の土壌を入れ替える必要がある。
【０００６】
更に、射撃場は、着弾範囲が広いため、一般に、広い地域を占有する必要があり、しかもこのため、施設の設置、鉛弾ｄの回収、及び維持管理に必要なコストが高いものとなっていた。
【発明の開示】
【発明が解決しようとする課題】
【０００７】
本発明は、以上のような問題に鑑みてなされたものであって、その技術的課題とするところは、散弾範囲を制限することによって、鉛弾の回収を容易にし、かつ射撃場の占有面積を縮小することの可能な射撃場の構造を提供することにある。
【課題を解決するための手段】
【０００８】
上述の技術的課題を有効に解決するための手段として、請求項１の発明に係る射撃場の構造は、射撃場における所定の広さの散弾エリアを上から覆うように構築されたトラス状ドーム骨組構造体に、着弾の衝撃に耐え得る強度を有する防弾幕が、射撃方向に対して互いに重なるように前後複数段に懸垂されたことを特徴とするものである。
【０００９】
請求項２の発明に係る射撃場の構造は、請求項１に記載の構成において、防弾幕が、トラス状ドーム骨組構造体における水平フレームに、フラッグ状に懸垂されたことを特徴とするものである。
【００１０】
請求項３の発明に係る射撃場の構造は、請求項１に記載の構成において、防弾幕が、トラス状ドーム骨組構造体の各フレームに沿ってハニカム状に懸垂されたことを特徴とするものである。
【００１１】
請求項４の発明に係る射撃場の構造は、請求項１に記載の構成において、防弾幕の各隅部が、トラス状ドーム骨組構造体の各フレームのジョイント部に垂れ幕状に懸垂されたことを特徴とするものである。
【００１２】
上記構成において、上端を懸垂され、あるいは垂れ幕状に弛んだ状態に懸垂された防弾幕は、飛来した鉛弾が衝突することによって瞬時に波打つように撓んで、運動エネルギを吸収するため、この防弾幕に当たった鉛弾は、運動エネルギを失って散弾エリアに落下する。しかも防弾幕は、射撃方向に対して互いに重なるように前後複数段に懸垂されているため、発射された鉛弾は、防弾幕が懸垂されたトラス状ドーム骨組構造体の外に出ることはない。
【発明の効果】
【００１３】
請求項１〜４の発明に係る射撃場の構造によれば、トラス状ドーム骨組構造体に懸垂された防弾幕によって、発射された鉛弾が射撃場外へ飛び出すのを確実に防止するため、鉛弾の着弾・散弾範囲を限定することができる。また、防弾幕に当たった鉛弾はトラス状ドーム骨組構造体に囲まれた散弾エリア内の地表に落下するため、回収が容易であり、しかも鉛弾が土壌中にめり込むことによる土壌汚染を防止することができる。
【発明を実施するための最良の形態】
【００１４】
以下、本発明に係る射撃場の構造の好ましい実施の形態について、図面を参照しながら説明する。図１は、第一形態を示す射撃場全体の斜視図、図２は同じく第一形態を示す要部斜視図、図３は第一形態による防弾機能の説明図である。
【００１５】
図１に示される射撃場は、例えばクレー射撃の訓練や競技（スキート）に使われるものであって、円弧状に並んで設置された複数の（図では１箇所のみ示される）射台１と、散弾エリア２が設けられ、射台１における散弾エリア２側の両端に位置して、クレー放出機３(左側の高い放出機がプール、右側の低い放出機がマークと呼ばれる)が設置されている。図中に示される交差した破線は飛行線と呼ばれ、スキート競技では、射台１の円弧の中心から4.6ｍの高さに規定されている。標的となるクレー(図３の符号ｔ参照)は、前記飛行線の交点Ｐを通過するように、前記クレー放出機３から放出される。射撃場内の地面は、基本的には自然の土からなるものであるが、砂利が敷設されたり、あるいは芝生などが設けられたものであっても良い。
【００１６】
なお、散弾エリア２の背後には、金属板など、防弾に必要な強度を有するフェンスで囲ったり、シート状ネットで覆ったり、あるいはコンクリートを吹き付けたりすることによって防弾壁２１が設けられる。
【００１７】
参照符号４は、散弾エリア２を上から覆うように構築されたトラス状ドーム骨組構造体である。トラス状ドーム骨組構造体４は、多数のフレーム４１が、台形及びその一つの対角線からなる三角形のグリッドをなすように、ドーム状に構築され、その外周を、円筒状に並んだ多数の支柱４２によって地上に支持してなるものである。図２に示されるように、フレーム４１はＨ型鋼あるいは鋼管、アルミニウム製骨組材等からなるものであって、ジョイント部４３を介して上述のグリッド状に互いに接続されている。
【００１８】
参照符号５は、トラス状ドーム骨組構造体１に懸垂された防弾幕である。この防弾幕５は、例えばナイロン繊維、特殊ポリアミド繊維、ケブラー（登録商標：アラミド繊維）、あるいはポリエチレンなどのような、耐衝撃性に優れた、高強度の合成繊維材料を織った布であり、必要に応じて複数枚重ねて用いられ、これによって、着弾の衝撃に耐え得る強度を有するものである。また、布にナイロンなどをコーティングすることによって、着弾の衝撃に耐え得る強度を与えたものであっても良い。
【００１９】
この第一形態では、長方形又は正方形の防弾幕５が、トラス状ドーム骨組構造体４を構成する多数のフレーム４１のうち、弾道の方向と交差する方向に延びるフレーム４１ａ、すなわちドームの円周と対応する方向へ延びる水平フレーム４１ａに、それぞれフラッグ状に懸垂されている。したがって、各防弾幕５は、互いに同心の複数の円周上に並んで懸垂され、射台１からの射撃の方向に対して複数段配置されている。
【００２０】
ここで、図３に破線で示されるように、射台１に立った射手Ａが射撃を行った時の任意の弾道Ｌを考えると、防弾幕５，５，・・・のうち、前からｎ段目の防弾幕５ｎと、その後方に位置するｎ＋１段目の防弾幕５ｎ＋１が弾道Ｌの方向に対して重なる位置にあることがわかる。そして、互いに前後に隣り合う防弾幕５，５，・・・は、すべてこのような位置関係となるように、その鉛直方向の長さが設定されている。
【００２１】
また、トラス状ドーム骨組構造体４の下部の各支柱４２間に架設された横桟４４にも同様に、それぞれ長方形又は正方形の防弾幕５１が、フラッグ状に懸垂されている。
【００２２】
以上のように構成された射撃場において、クレー射撃等の訓練あるいは競技を行う場合、図１に示されるように、射手Ａは射台１における所定の位置に立ち、クレー放出機３により空中に放出された小皿状のクレーｔを、散弾銃Ｇによって撃ち落とす。命中した鉛弾や、命中によって破壊されたクレーｔは、散弾エリア２の地表に落下することになる。
【００２３】
また、クレーｔに命中しなかったり、後方へ跳ね返った鉛弾Ｂは、散弾エリア２の背後の防弾壁２１に当たって落下するか、あるいは図３に一点鎖線で示されるように、トラス状ドーム骨組構造体４に懸垂されたフラッグ状の防弾幕５に当たって落下する。
【００２４】
自由状態に懸垂された防弾幕５は、鉛弾Ｂが衝突した瞬間に波打つように撓むので、鉛弾Ｂの運動エネルギを有効に吸収する。特に、複数枚のシート又は布を重ねた防弾幕５は、鉛弾Ｂからの衝撃を後方のシート又は布へ連鎖的に伝達することによって瞬時に運動エネルギを吸収するため、防弾幕５に当たった鉛弾Ｂは、運動エネルギを失って散弾エリア２の地表に落下する。したがって、発射された鉛弾Ｂやクレーｔの破砕片が散弾エリア２の外へ飛び出すのを、確実に防止することができる。
【００２５】
また、鉛弾Ｂは全て散弾エリア２の地表に落下するため、適時に表土の入れ替えを行うことによって、この表土と共に回収し、篩機あるいは遠心分離機を用いて分別回収する。散弾エリア２の地表には、合成樹脂シート等を敷設しておけば、散乱した鉛弾Ｂを真空吸引法などによって容易に回収することができ、しかも土壌中に直接着弾することによる土壌汚染を防止することができる。
【００２６】
また、上述の第一形態において一層好ましくは、図１に示されるように、トラス状ドーム骨組構造体４の水平フレーム４１ａに防弾幕５を懸垂するのに加えて、このトラス状ドーム骨組構造体４のドーム頂点Ｔを極とする子午線方向に架設されたフレーム４１ｂにも、防弾幕５と同様に防弾幕５２を懸垂する。この防弾幕５２は水平方向に並んだ防弾幕５，５間に交差するように並ぶので、水平方向に並んだ防弾幕５，５間の隙間を鉛弾Ｂが通過するのを確実に防止することができる。
【００２７】
図４は、本発明に係る射撃場の構造の第二形態を示す要部斜視図である。この形態は、トラス状ドーム骨組構造体４の三角状グリッドを構成する全てのフレーム４１に防弾幕５を懸垂したものである。すなわち、防弾幕５が、各フレーム４１に沿ってハニカム状に懸垂された構造となっているので、外部への鉛弾の飛び出しを、一層確実に防止することができる。
【００２８】
図５は、本発明に係る射撃場の構造の第三形態を示す要部斜視図である。この形態は、防弾幕５を、トラス状ドーム骨組構造体４の三角状グリッドと相似の三角形状として、その各隅部を、フレーム４１のジョイント部４３に取り付けて垂れ幕状に弛ませて懸垂したものである。なお、防弾幕５は、先に説明したように、複数枚のシート又は布を重ねたものが好ましい。また、この防弾幕５は、複数のグリッドを包含する大きさにして、各ジョイント部４３と対応する部分を、このジョイント部４３に取り付けても良い。
【００２９】
この場合も、防弾幕５は弛んだ状態に懸垂されているので、鉛弾Ｂが衝突した瞬間に波打つように撓み、鉛弾Ｂの運動エネルギを有効に吸収する。このため、防弾幕５に当たった鉛弾Ｂは、運動エネルギを失って散弾エリア２の地表に落下することになり、散弾エリア２の外へ飛び出すのを、確実に防止することができる。
【００３０】
なお、上述の形態では、クレー射撃のスキート種目に使われる射撃場について説明したが、本発明に係る射撃場の構造は、他の種目の射撃場にも適用することができる。
【図面の簡単な説明】
【００３１】
【図１】本発明に係る射撃場の構造の第一形態を示す射撃場全体の斜視図である。
【図２】本発明に係る射撃場の構造の第一形態を示す要部斜視図である。
【図３】本発明に係る射撃場の構造の第一形態による防弾機能の説明図である。
【図４】本発明に係る射撃場の構造の第二形態を示す要部斜視図である。
【図５】本発明に係る射撃場の構造の第三形態を示す要部斜視図である。
【図６】本発明に係る射撃場の構造の第三形態による防弾機能の説明図である。
【図７】従来の射撃場における標的後方の構造を示す説明図である。
【図８】従来の他の射撃場における標的後方の構造を示す説明図である。
【符号の説明】
【００３２】
１    射台
２    散弾エリア
３    防弾壁
４    トラス状ドーム骨組構造体
４１    フレーム
４２    支柱
４３    ジョイント部
４４    横桟
５，５１，５２    防弾幕
【図１】
2006317014.tif 000003
【図２】
2006317014.tif 000004
【図３】
2006317014.tif 000005
【図４】
2006317014.tif 000006
【図５】
2006317014.tif 000007
【図６】
2006317014.tif 000008
【図７】
2006317014.tif 000009
【図８】
2006317014.tif 000010